(57)【要約】【課題】  レジ袋への商品の入れ易さを向上させる。【解決手段】  相対向する一対の取っ手部１０３を有するレジ袋１００を開口状態で保持する構成とする。左右方向に並列配置された一対のアーム６を備える。アーム６には、取っ手部１０３を引っ掛ける引っ掛け部１７，１６がアーム６の前後２ヶ所の合計４ヶ所に設けられている。各々のアーム６において、前方側の引っ掛け部１７を後方側の引っ掛け部１６よりも低い位置に設ける。これにより、取っ手部１０３を引っ掛け部１６，１７に引っ掛けてレジ袋１００を保持した状態で、レジ袋１００の開口部１０１の前方側の方が開口部１０１の後方側よりも低い位置に位置付けられて開口部１０１が開口する。【選択図】    図２
2005239170.tif 000002
【特許請求の範囲】
【請求項１】
相対向する一対の取っ手部を有するレジ袋を開口状態で保持する袋保持具において、
基体と、
前記基体に設けられ左右方向に並列配置された一対のアームと、
前記取っ手部を、前記アームの前後２ヶ所の合計４ヶ所にそれぞれ設けられた引っ掛け部によって着脱自在に引っ掛けて保持する一対の引っ掛け保持部と、
を備え、
各々の前記アームは、前方側の前記引っ掛け部を後方側の前記引っ掛け部よりも低い位置に位置付けている、ことを特徴とする袋保持具。
【請求項２】
前記引っ掛け保持部は、前記引っ掛け部に対する前記取っ手部の着脱移動を案内する曲げ形状の案内部を有する、請求項１記載の袋保持具。
【請求項３】
前記引っ掛け保持部と前記アームとは、単一の部材によって形成されている、請求項１又は２記載の袋保持具。
【請求項４】
前記引っ掛け保持部は、上方に向かい外側に傾斜して形成されている、請求項１ないし３の何れか一記載の袋保持具。
【請求項５】
前記基体に設けられ、一対の前記アームの間の上方を読み取り領域とし、商品に付された商品情報を光学的に読み取るスキャナを備える、請求項１ないし４の何れか一記載の袋保持具。
【請求項６】
前記基体を水平回動自在に保持する保持部を備える、請求項１ないし５の何れか一記載の袋保持具。
【発明の詳細な説明】
【技術分野】
【０００１】
本発明は、レジ袋を保持する袋保持具に関する。
【背景技術】
【０００２】
従来、スーパーマーケットなどの店舗では、購入後の商品を顧客が持ち運ぶために、その商品を店側が用意したレジ袋に店員や顧客が詰めている。レジ袋は、上面に開口部が形成されているとともに、上部に一対の取っ手部が形成されている。
【０００３】
このような商品の袋詰め作業の際に、レジ袋を開口状態で保持させる袋保持具がある。特許文献１では、一対の平行な張り出し部に形成された取っ手掛け部に、レジ袋の一対の取っ手部を引っ掛けて、レジ袋の開口部を上方に向けた状態でレジ袋を保持する。また、特許文献２では、専用のレジ袋を一対の吊持アームとフックとで３点支持して、レジ袋の開口部を上方に向けた状態でレジ袋を保持する。
【０００４】
このような袋保持具を使用する際には、作業者（店員や顧客）は、この袋保持具の前方側に立ってレジ袋に商品を詰める。このとき、作業者は、レジ袋を保持する必要がなく、よって、両手が使えるので、商品の袋詰めが容易となる。
【０００５】
【特許文献１】特開２００１−１１４２３０公報
【特許文献２】特開平６−２７０９２５号公報
【発明の開示】
【発明が解決しようとする課題】
【０００６】
しかしながら、従来の袋保持具では、レジ袋の開口部が水平な状態で上方を向くようにレジ袋を保持している。この場合、レジ袋の作業者側（前方側）の部分が邪魔となり、作業性が悪いという問題がある。
【０００７】
本発明の目的は、レジ袋への商品の入れ易さを向上させることができる袋保持具を提供することである。
【課題を解決するための手段】
【０００８】
本発明は、基体に設けられ左右方向に並列配置された一対のアームと、レジ袋の取っ手部を、前記アームの前後２ヶ所の合計４ヶ所にそれぞれ設けられた引っ掛け部によって着脱自在に引っ掛けて保持する一対の引っ掛け保持部と、を備え、各々の前記アームは、前方側の前記引っ掛け部を後方側の前記引っ掛け部よりも低い位置に位置付けている。
【発明の効果】
【０００９】
本発明によれば、作業者がアームの前方側に立って作業する際に、作業者側の作業空間が広がるので、レジ袋への商品の入れ易さを向上させることができる。
【発明を実施するための最良の形態】
【００１０】
本発明の一実施の形態を図面に基づいて説明する。
【００１１】
図１は本実施の形態の袋保持具１をＰＯＳ（Point Of Sales）端末２とともに示す斜視図である。袋保持具１は、ＰＯＳ端末２とともにチェックアウトカウンタ３に設置されている。このチェックアウトカウンタ３を挟んで店員と顧客とが対面する。
【００１２】
図２はレジ袋１００を保持した状態の袋保持具１を示す斜視図、図３はその側面図である。袋保持具１が保持する対象のレジ袋１００は、スーパーマーケットなどで一般的に使用されているポリ袋である。レジ袋１００は、上面に開口部１０１が形成された本体部１０２と、この本体部１０２の上部に形成された一対の取っ手部１０３とから構成されている。
【００１３】
袋保持具１の基体４は、上から見て半円形状の箱状に形成されている。この基体４の正面５には、一対のアーム６が前方側に突出して片持ち状態で設けられている。また、この正面５には、一対のアーム６の間に位置させたフック７が取り付けられている。基体４の上面には、スキャナ８が立設されている。
【００１４】
図４は袋保持具１を示す側面図、図５はその正面図、図６その平面図である。図２ないし図６に示すように、一対のアーム６は、同じ高さで左右方向に所定の間隔で並列配置されている。一対のアーム６は、アーム６の間の仮想鉛直面に対して対称形状である。各アーム６は、金属性の単一の棒状の基材を屈曲して形成されている。概略的には、アーム６は、基材の両端部が平行となるように基材を屈曲させて上下２段にした形状である。基材の両端部が基体４の正面５に固定されており、こちら側がアーム６の固定側（後方側）であり、基材の折り返し部側がアーム６の自由端側（前方側）である。アーム６にはレジ袋１００を引っ掛けて保持する引っ掛け保持部１０が形成されている。
【００１５】
アーム６は、詳しくは、上段側において基体４の正面５から前方側に水平に延出しており、これにより、第１水平部１１が形成されている。この第１水平部１１の前方側でアーム６は上方へ屈曲されており、これにより、縦方向に延びた第１縦部１２が形成されている。第１縦部１２の第１水平部１１からの立ち上がり部分（図４中ａで示す範囲）は、第１水平部１１に対して垂直に形成されている。
【００１６】
アーム６は、第１縦部１２の上端部において、前方側に向けて傾斜するように屈曲され、これにより、前方側に傾斜して延出した傾斜部１３が形成されている。この傾斜部１３の前方側で、アーム６は下段に向けて下方へ屈曲されており、これにより、縦方向に延びた第２縦部１４が形成されている。この第２縦部１４の下端部で下段側に達している。第２縦部１４の下端で、アーム６は、外側に水平に張り出すように屈曲されており、これにより、水平方向に延びた第２水平部１５が形成されている。この第２水平部１５の外側の端部で、アーム６は基体４の正面５に向けて屈曲されて正面５に達している。
【００１７】
また、第１縦部１２は、上方に向かい外側に傾斜して形成されている。これにより、第１縦部１２と傾斜部１３は、外側に張り出している。
【００１８】
第１水平部１１と第１縦部１２との間の屈曲部によって、アーム６の後方側に位置する引っ掛け部である第１引っ掛け部１６が形成されている。第１引っ掛け部１６には、取っ手部１０３の内側における後方側が引っ掛かる。また、第２水平部１５と第２縦部１４との間の屈曲部によって、アーム６の前方側に位置する引っ掛け部である第２引っ掛け部１７が形成されている。第２引っ掛け部１７には、取っ手部１０３の内側における前方側が引っ掛かる。この第２引っ掛け部１７は、上述したアーム６の形状によって、第１引っ掛け部１６よりも低い位置に位置付けられている。即ち、上述したアーム６の形状によって、前方側の引っ掛け部である第２引っ掛け部１７が後方側の引っ掛け部である第１引っ掛け部１６よりも低い位置に位置付けられている。
【００１９】
第１縦部１２と傾斜部１３とのつながりの屈曲部は、曲率を有して曲げられており、ここに、第１引っ掛け部１６に対する取っ手部１０３の着脱移動を案内する案内部１８が形成されている。傾斜部１３と第２縦部１４との屈曲部及びこれにつながる第２縦部１４は、曲率を有して１つの曲形状に形成されており、ここに、第２引っ掛け部１７に対する取っ手部１０３の着脱移動を案内する案内部１９が形成されている。また、傾斜部１３から第２縦部１４への屈曲の始まり位置は、第１水平部１１と略同じ高さに設定されている。
【００２０】
上述した第１引っ掛け部１６、第１縦部１２、傾斜部１３、第２縦部１４、第２引っ掛け部１７、案内部１８，１９などにより引っ掛け保持部１０が形成されている。
【００２１】
一対の引っ掛け保持部１０は、一対のアーム６の間の位置から外側に向けて開くようにしたレジ袋１００の一対の取っ手部１０３を、アーム６の前後２ヶ所の合計４ヶ所にそれぞれ設けられた第２及び第１引っ掛け部１７，１６によって着脱自在に引っ掛けて保持する。
【００２２】
詳しくは、この引っ掛け保持部１０にレジ袋１００を保持させる場合には、まず、レジ袋１００を一対のアーム６の間に位置させる。そして、レジ袋１００の開口部１０１を開口する方向に一対の取っ手部１０３を外側に移動させながら、一対の取っ手部１０３を一対の引っ掛け保持部１０に上方から移動させて引っ掛ける。このとき、取っ手部１０３の内側の後方側を第１引っ掛け部１６に引っ掛け、取っ手部１０３の内側の前方側を第２引っ掛け部１７に引っ掛ける。これにより取っ手部１０３が広がり、レジ袋１００の開口部１０１が大きく開口される。また、レジ袋１００は、レジ袋１００の開口部１０１の前方側の方が開口部１０１の後方側よりも低い位置に位置した状態で開口部１０１が開口する。そして、この状態から取っ手部１０３を上方へ移動させることにより、第１引っ掛け部１６と第２引っ掛け部１７での取っ手部１０３の引っ掛かりを外すことができる。
【００２３】
フック７は、図７に示すレジ袋１００ａを引っ掛けてストックしておくためのものである。レジ袋１００ａは、本体部１０２の上部に一対の突出部１０４（図では一方のみを示している）が形成された形状をしている。この突出部１０４に引っ掛け穴１０５が形成されている。この突出部１０４と本体部１０２との間には、ミシン目が形成されている。そして、レジ袋１００を閉じた状態で引っ掛け穴１０５をフック７に引っ掛けることで、レジ袋１００ａが保持される。レジ袋１００ａを使用する際には、本体部１０２を下に引っ張ることにより、本体部１０２から突出部１０４をミシン目で切り離す。これによりレジ袋１００ａの本体部１０２がフックから外れる。
【００２４】
スキャナ８は、ＰＯＳ端末２に情報通信可能に接続されている。スキャナ８は、商品にバーコードなどのコードシンボルで付された商品情報を光学的に読み取り、読み取った情報をＰＯＳ端末２に出力する。スキャナ８は、一対のアーム６の間の上方を読み取り領域とする位置に取り付けられている。従って、当該袋保持具１に保持されたレジ袋１００の上方に位置させた商品の商品情報を読み取ることが可能となっている。
【００２５】
このように各部が取り付けられた基体４は、チェックアウトカウンタ３の天板３ａに固定された保持部であるポール２０に水平回動自在に保持されている。詳しくは、基体４の下部がポール２０の上端部に水平回動自在に嵌合している。そして、基体４は、レジ袋１００保持部にレジ袋１００が保持された状態でレジ袋１００の底面が天板３ａに接する高さに位置付けられている。
【００２６】
このような構成の袋保持具１の使用態様の一例を説明する。まず、店員は袋保持具１の前方側に立ち、上述したやり方でレジ袋１００を袋保持具１に保持させる。これにより、上述したように、レジ袋１００は、レジ袋１００の開口部１０１の前方側の方が開口部１０１の後方側よりも低い位置に位置した状態で開口部１０１が開口する。
【００２７】
そして、店員は、店内用カートや籠に入れられた商品を取り出して、スキャナ８の読み取り領域に移動させて、スキャナ８でのスキャニングを実行して、その後、商品をレジ袋１００に入れる。そして、精算が終了したならば、袋保持具１の基体４を店員側から顧客側に回転させる。顧客は、袋保持具１からレジ袋１００を取り外して持ち帰る。
【００２８】
このとき、本実施の形態では、袋保持具１に保持されたレジ袋１００の開口部１０１の前方側の方が開口部１０１の後方側よりも低い位置に位置付けられて開口部１０１が開口しているので、レジ袋１００の店員側（前方側）の作業スペースが広くなり、よって、作業性がよく、レジ袋１００への商品の入れ易さが向上している。
【００２９】
また、本実施の形態においては、引っ掛け保持部１０は、引っ掛け部である第１及び第２引っ掛け部１６、１７に対する取っ手部１０３の着脱移動を案内する曲げ形状の案内部１８，１９を有することにより、取っ手部１０３を第１及び第２引っ掛け部１６，１７に対して着脱する際には、案内部１８，１９によって案内されるので、第１及び第２引っ掛け部１６，１７に対するレジ袋１００の着脱作業をスムーズに行える。
【００３０】
また、本実施の形態においては、引っ掛け保持部１０とアーム６とは、単一の部材によって形成されていることにより、袋保持具１のコスト低減を図ることができる。
【００３１】
また、本実施の形態においては、引っ掛け保持部１０は、上方に向かい外側に傾斜して形成されていることにより、レジ袋１００は真上への移動が規制される。よって、レジ袋１００の着脱性を確保しながら、レジ袋１００の上方への外れを防止することができる。
【００３２】
また、本実施の形態においては、基体４に設けられ、一対のアーム６の間の上方を読み取り領域とし商品に付された商品情報を光学的に読み取るスキャナ８を備えることにより、店内用カートや籠内の商品を取り出して、商品情報のスキャニングをし、その商品をレジ袋１００に入れるという作業を連続して１つの動作としてできるので、これらの作業にかかる時間を短縮することができる。
【００３３】
また、本実施の形態においては、基体４を水平回動自在に保持する保持部であるポール２０を備えることにより、店員は、基体４を回動させることにより、商品を詰めたレジ袋１００をチェックアウトカウンタ３を挟んで対面している顧客に渡すことができる。これにより、店員がレジ袋１００を袋保持具１から取り外して顧客に直接渡す場合に比べて、店員の負担を軽減することができる。
【００３４】
なお、本実施の形態では、袋保持具１をチェックアウトカウンタ３に設置した例を説明したが、これに限るものではない。例えば、袋保持具１を床などに設置してもよい。
【図面の簡単な説明】
【００３５】
【図１】本発明の一実施の形態の袋保持具をＰＯＳ端末とともに示す斜視図である。
【図２】袋を保持した状態の袋保持具を示す斜視図である。
【図３】その側面図である。
【図４】袋保持具を示す側面図である。
【図５】その正面図である。
【図６】その平面図である。
【図７】袋の一例を示す正面図である。
【符号の説明】
【００３６】
１…袋保持具、４…基体、６…アーム、８…スキャナ、１０…引っ掛け保持部、１６…第１引っ掛け部（引っ掛け部）、１７…第２引っ掛け部（引っ掛け部）、１８…案内部、１９…案内部、２０…ポール（保持部）、１００，１００ａ…袋、１０３…取っ手部
【図１】
2005239170.tif 000003
【図２】
2005239170.tif 000004
【図３】
2005239170.tif 000005
【図４】
2005239170.tif 000006
【図５】
2005239170.tif 000007
【図６】
2005239170.tif 000008
【図７】
2005239170.tif 000009